(57)【要約】【課題】  本人が認証を行う際の障害とならずに、写真を用いた成りすましを排除できる被写体認証方法、被写体認証装置、携帯電話、及び被写体認証プログラムを提供する。【解決手段】  被写体を撮影する撮影手段を備え、該撮影手段で撮影した被写体の顔の要素に基づいて被写体を認証する被写体認証装置に対して、前記撮影手段で被写体を撮影した撮影画像のうち、被写体の目に反映した反映画像に基づいて偽装か否かを判定する偽装判定手段を備えた。【選択図】    図３
2006259924.tif 000002
【特許請求の範囲】
【請求項１】
被写体を撮影する撮影手段を備え、該撮影手段で撮影した被写体の顔の要素に基づいて被写体を認証する被写体認証装置であって、
前記撮影手段で被写体を撮影した撮影画像のうち、被写体の目に反映した反映画像に基づいて偽装か否かを判定する偽装判定手段を備えた
被写体認証装置。
【請求項２】
被写体の目に反映する反映画像の少なくとも一部を変更する反映画像変更手段を備え、
該反映画像変更手段により被写体の目に反映させる反映画像を変更した複数の撮影画像を前記撮影手段で取得する構成とし、
前記偽装判定手段を、前記反映画像変更手段による変化が、各撮影画像の被写体の目に反映した反映画像に現れていない場合に、偽装と判定する構成とした
請求項１記載の被写体認証装置。
【請求項３】
前記反映画像変更手段を、画像表示を行う表示手段、または照明を行う照明手段で構成した
請求項１または２記載の被写体認証装置。
【請求項４】
請求項１、２または３記載の被写体認証装置を備えた
携帯電話機。
【請求項５】
被写体の撮影画像を取得し、該撮影画像の被写体の目に反映した反映画像に基づいて偽装か否かを判定する偽装判定手段を備えた
被写体認証ユニット。
【請求項６】
撮影手段で撮影した被写体の顔の要素に基づいて被写体を認証する被写体認証方法であって、
前記撮影手段で被写体を撮影した撮影画像のうち、被写体の目に反映した反映画像に基づいて偽装か否かを判定する
被写体認証方法。
【請求項７】
被写体の撮影画像を取得し、該撮影画像の被写体の目に反映した反映画像に基づいて偽装か否かを判定する
被写体認証プログラム。
【発明の詳細な説明】
【技術分野】
【０００１】
この発明は、例えば人の顔や虹彩等の被写体を撮影し該被写体を認証するような被写体認証装置、携帯電話、被写体認証ユニット、被写体認証方法、及び被写体認証プログラムに関する。
【背景技術】
【０００２】
従来、本人認証を行うシステムとして、顔を撮影して認証する顔認証システム、虹彩を撮影して認証する虹彩認証システムなど、種々の認証システムが提案されている。
【０００３】
これらの認証システムは、顔、または目といった被写体を撮影して認証するものであるが、写真等による成りすまし（偽装）を排除する必要がある。
【０００４】
この写真による成りすましの排除の方法として、被写体を複数回撮影し、各撮影画像の背景が連続していなければ、本人ではないと判定する本人認証装置が提案されている（特許文献１参照）。
【０００５】
しかし、背景が連続していることで写真による成りすましを排除すると、例えば携帯電話機やＰＤＡ等の携帯情報端末に実装することを考えた場合、電車、自動車、あるいは徒歩等による移動中に認証を行おうとすれば、撮影画像中の背景が変化してしまい、本人であると認証できないという問題点があった。  
また、同じ背景で撮影した写真を用意すれば、成りすましができてしまうという問題点があった。
【０００６】
【特許文献１】特開２００４−３６２０７９号公報
【発明の開示】
【発明が解決しようとする課題】
【０００７】
この発明は、上述の問題に鑑みて、本人が認証を行う際の障害とならずに写真を用いた成りすましを排除できる被写体認証装置、携帯電話、被写体認証ユニット、被写体認証方法、及び被写体認証プログラムを提供することを目的とする。
【課題を解決するための手段】
【０００８】
この発明は、被写体を撮影する撮影手段を備え、該撮影手段で撮影した被写体の顔の要素に基づいて被写体を認証する被写体認証装置であって、前記撮影手段で被写体を撮影した撮影画像のうち、被写体の目に反映した反映画像に基づいて偽装か否かを判定する偽装判定手段を備えた被写体認証装置であることを特徴とする。
【０００９】
前記顔の要素に基づいた被写体の認証は、被写体の虹彩に基づく認証、または被写体の顔に基づく認証等で構成することができる。  
前記被写体の目に反映した反映画像は、目の瞳孔部分、虹彩部分、黒目（瞳孔及び虹彩）部分、又は白目部分、若しくは目全体のうち、いずれかに反映した反映画像で構成することができる。  
前記構成により、平面的な写真を用いた成りすましを容易に排除することができる。特に、背景を認証条件としていないため、移動中であっても適切に認証することができる。
【００１０】
この発明の態様として、被写体の目に反映する反映画像の少なくとも一部を変更する反映画像変更手段を備え、該反映画像変更手段により被写体の目に反映させる反映画像を変更した複数の撮影画像を前記撮影手段で取得する構成とし、前記偽装判定手段を、前記反映画像変更手段による変化が、各撮影画像の被写体の目に反映した反映画像に現れていない場合に、偽装と判定する構成とすることができる。
【００１１】
反映画像変更手段により変更する（変化させる）対象の例としては、反映画像の色、大きさ、形などが挙げられる。  
これにより、平面的な写真を用いた成りすましを、より確実に排除することができる。
【００１２】
またこの発明の態様として、前記反映画像変更手段を、画像表示を行う表示手段、または照明を行う照明手段で構成することができる。  
これにより、目に反映させる反映画像を鮮明にすることができ、平面的な写真を用いた成りすましを、さらに確実に排除することができる。
【００１３】
またこの発明は、前記被写体認証装置を備えた携帯電話機とすることができる。  
これにより、携帯電話機で被写体認証をすることができ、その際に平面的な写真を用いた成りすましを排除することができる。
【００１４】
またこの発明は、撮影手段で撮影した被写体の顔の要素に基づいて被写体を認証する被写体認証方法であって、前記撮影手段で被写体を撮影した撮影画像のうち、被写体の目に反映した反映画像に基づいて偽装か否かを判定する被写体認証方法とすることができる。  
これにより、平面的な写真を用いた成りすましを排除することができる。
【００１５】
またこの発明は、被写体の撮影画像を取得し、該撮影画像の被写体の目に反映した反映画像に基づいて偽装か否かを判定する偽装判定手段を備えた被写体認証ユニットまたは被写体認証プログラムとすることができる。  
これにより、携帯電話機やＰＤＡ端末やパーソナルコンピュータ等、適宜の機器に被写体認証ユニットを装着する、あるいは適宜の機器に被写体認証プログラムをインストールして、写真による成りすましを排除した被写体認証装置を作成することができる。
【発明の効果】
【００１６】
この発明により、本人が認証を行う際の障害とならずに、写真を用いた成りすましを排除できる被写体認証装置、携帯電話、被写体認証ユニット、被写体認証方法、及び被写体認証プログラムを提供することができる。
【発明を実施するための最良の形態】
【００１７】
この発明の一実施形態を以下図面と共に説明する。
【実施例１】
【００１８】
まず、図１に示す被写体認証装置１の斜視図と共に、被写体認証装置１の構成について説明する。  
被写体認証装置１は、携帯情報端末の一種である携帯電話機によって構成されており、正面に上から順に音声出力用のスピーカ１１、画像表示を行う液晶モニタ１４、操作入力用の複数の操作ボタン１６、及び音声入力用のマイク１８が設けられている。
【００１９】
前記スピーカ１１の右横には、撮影用のカメラ１２と照明装置１３とが上下に近接して設けられている。この撮影用のカメラ１２と照明装置１３と前記液晶モニタ１４とは、被写体認証装置１の同一面上（本実施形態では表面）に、カメラ１２の撮影方向と照明装置１３の照明方向と液晶モニタ１４の表示方向とが同一方向となるように配設されている。前記照明装置１３は、閃光するフラッシュ照明装置、あるいは点灯する点灯照明装置（例えばＬＥＤや蛍光灯）など、適宜の照明装置で構成されている。
【００２０】
また、被写体認証装置１の右側面には、カメラ１２のシャッタボタン１５が設けられている。そして、被写体認証装置１の正面下部には、前後回動する開閉カバー１９が枢着されており、該開閉カバー１９が、閉状態で複数の操作ボタン１６を被覆し保護する構成となっている。
【００２１】
また、被写体認証装置１の背面上部には、無線通信用のアンテナ１０が備えられている。そして、被写体認証装置１の内部には、ＣＰＵ及び記憶部（ＲＯＭやＲＡＭ等）により構成される制御装置や充電池が設けられている。
【００２２】
以上の構成により、被写体認証装置１は、操作ボタン１６が操作されて架電（発信）すること、及び着信を操作ボタン１６の操作により受けることができ、遠隔地の電話機との音声通話を許容することができる。また、操作ボタン１６が操作されることで、インターネット接続によるコンテンツ表示や電子メールの送受信を行うことができる。そして、カメラ１２による静止画や動画の撮影を、シャッタボタン１５の押下によって実行でき、液晶モニタ１４に撮影画像を表示することができる。
【００２３】
カメラ１２と液晶モニタ１４とは同一面に備えられているため、撮影の際に利用者の目に液晶モニタ１４が必ず映ることとなり、目に反映させる反映画像を液晶モニタ１４で表示することができる。
【００２４】
次に、図２に示す被写体認証装置１のブロック図と共に、被写体認証装置１の構成について説明する。なお、この説明では、個人認証に必要な撮影機能と認証機能に関する要素について説明し、他の要素については省略する。
【００２５】
被写体認証装置１は、画像入力部２１、被写体判定部２２、顔認識部２３、登録データ（辞書データ）２４、表示部２５、制御部２６、及び認証結果出力部２７により構成されている。
【００２６】
前記画像入力部２１は、前述したカメラ１２（図１）により構成されており、制御部２６の制御に従って、前記カメラ１２で被写体を撮影して得た撮影画像データを被写体判定部２２及び顔認識部２３に送信する。
【００２７】
前記被写体判定部２２は、被写体認証装置１内部の制御装置内に設けられており、制御部２６の制御に従って、撮影画像データに映っている被写体が立体か否かの判定を行い、判定結果を顔認識部２３に送信する。
【００２８】
前記顔認識部２３は、被写体認証装置１内部の制御装置内に設けられており、制御部２６の制御に従って、画像入力部２１から得た撮影画像データと、記憶部から読み出した登録データ２４とを比較して、生体認証の一種である顔照合を行う。そして、この顔照合の照合結果と前記被写体判定部２２から取得した立体か否かの判定とに基づいて、個人認証を行い、この個人認証の認証結果を認証結果出力部２７に送信する。
【００２９】
前記登録データ２４は、記憶部に記憶されているデータであり、予め登録された利用者の撮影画像データである。この撮影画像データは、顔画像、又はアイリス（虹彩）画像等、人物の目を含む画像であって個人認証が可能な画像により構成すると良く、本実施の形態では、利用者に心理的な抵抗のない顔画像を用いる。なお、登録データ２４は画像データに限らず、この画像データから特徴点や特徴量を抽出した特徴データにより構成してもよい。
【００３０】
前記表示部２５は、前述した液晶モニタ１４（図１）により構成され、制御部２６の制御に従って、文字や図形、色、模様など、種々の画像を表示する。また、撮影の際には、利用者の目に反映させる反映画像を表示する。この反映画像は、本実施形態では全面白色と全面青色の２種類で構成しているが、これに限らず、他の色も用いて多種類で構成する、または、円や三角、四角や星形といった図形で構成する、あるいは、文字に設定するなど、適宜の画像で構成することができる。すなわち、異なる形の画像を用意して、表示する画像の形を変更する。また、上述の色、形の他に、大きさを異ならせた画像を用意してもよい。
【００３１】
前記制御部２６は、被写体認証装置１内部の制御装置内に設けられており、記憶部に記憶されているデータやプログラムに従って、各要素に制御信号を送信して動作制御を行う。記憶部に記憶されているプログラムには、撮影によって被写体を認証する被写体認証プログラムも含まれている。  
前記認証結果出力部２７は、前述した液晶モニタ１４により構成されており、制御部２６の制御に従って、前記顔認識部２３から取得した認証結果を出力する。なお、認証結果出力部２７は、液晶モニタ１４に限らず、例えば、インターネット通信の際に認証結果を送信する通信部、認証後の携帯電話機の操作可否を制御する制御部２６等、他の要素により構成してもよい。この場合、認証結果情報の出力により携帯電話機の動作を制御し、認証結果を液晶モニタ１４に表示しないことで、利用者に認証動作を意識させないようにすることができる。
【００３２】
以上の構成により、液晶モニタ１４で利用者の目に反映させる反映画像を表示し、この状態でカメラ１２により撮影し、撮影した撮影画像から個人認証を行って、認証結果を出力する（液晶モニタ１４で表示する）ことができる。
【００３３】
次に、図３に示す制御部２６が実行する動作を示すフローチャートと共に、被写体認証プログラムによって制御部２６が実行する動作について説明する。  
制御部２６は、液晶モニタ１４に白基調の画像を表示させ、カメラ１２により撮影して利用者の撮影画像データを取得する（ステップｎ１）。このとき、図４の撮影画像説明図に示すように、撮影した撮影画像４１には、顔画像４２が写っており、目部５１に、白目部５２、瞳部５３、虹彩部５４、及び瞳孔部５５が写っている。そして、瞳部５３には、被写体認証装置１（図１）が反映した（写り込んだ）被写体認証装置の反映画像６２と、液晶モニタ１４（図１）が反映した液晶モニタの反映画像６１とが写り込んでいる。  
このとき、液晶モニタ１４に白基調の画像を表示させているため、反映画像６１は白基調になっている。
【００３４】
次に、制御部２６は、前記ステップｎ１と異なる反映画像として青基調の画像を液晶モニタ１４に表示させ、カメラ１２により撮影して利用者の撮影画像データを取得する（ステップｎ２）。  
このとき、液晶モニタ１４に青基調の画像を表示させているため、反映画像６１は、前記ステップｎ１と異なる色の基調、すなわち青基調になっている。
【００３５】
このステップｎ２では、ステップｎ１で照明装置１３による照明を行っていれば、同一の照明をして撮影し、ステップｎ１で照明装置１３による照明を行っていなければ、照明を行わずに撮影する。また、ステップｎ１での撮影からステップｎ２での撮影までの時間間隔は予め定めた時間間隔としている。この時間間隔は、カメラ１２の前で写真をすり替えることができない程度（あるいはすり替えが難しい程度）の短い時間間隔に設定し、短時間で複数回の撮影を連続して行う設定とすることが好ましい。
【００３６】
制御部２６は、取得した複数の撮影画像データ、つまり本実施形態では２つの撮影画像データを被写体判定部２２に送り、被写体判定部２２は、それぞれの顔画像データ、瞳部分（本実施形態において瞳部分は黒目部分を指す）を抽出し、この瞳部分の平均色を求める（ステップｎ３）。この瞳部分の平均色は、左右両目について求めてもよく、右目あるいは左目のいずれか一方のみ求めてもよい。また、平均色は、ＲＧＢの三原色で各成分の濃度平均を求めることが好ましいが、Ｒ（赤）成分のみ、Ｇ（緑）成分のみ、Ｂ（青）成分のみなど、１成分だけの濃度平均を求める、あるいは、色成分に関係なく明度平均を求める構成としてもよい。特に本実施形態の場合は、白色と青色とを用いるので、Ｂ成分の色平均を求めれば、変化を検出することが可能となる。
【００３７】
被写体判定部２２は、各撮影画像データから取得した瞳部分の平均色の差分を求める（ステップｎ４）。このとき、左右どちらの目の差分を求めてもよいが、右目同士、あるいは左目同士といったように、同一の瞳部分同士の差分を求めることが好ましい。
【００３８】
被写体判定部２２は、求めた差分が予め定めた閾値（反映画像の変化から想定される閾値）以上、すなわち一定以上の画像変化（すなわち色変化若しくは明度変化）があったと判定した場合は真の利用者であると判定し（ステップｎ５：Ｙｅｓ）、判定結果を制御部２６に送る。
【００３９】
制御部２６は、顔認識部２３により顔照合を実行する（ステップｎ６）。  
この顔照合では、複数の撮影画像データのうち、照明環境が好ましい方の撮影画像データを、登録データ２４と比較して顔照合を行う。なお、いずれの撮影画像データを使用して顔照合するかは、予め定めておいてもよい。
【００４０】
撮影画像データと登録データ２４との比較では、撮影画像データから本人固有の特徴量を求め、登録データ２４の特徴量と比較して、特徴量の差が予め定めた一定の閾値以内であれば、同一人物であると判定する。
【００４１】
前記本人固有の特徴量は、例えば、撮影画像データから取得した特徴点に、ガボールウェーブレット変換を用いて求めることができる。この特徴点は、顔のラフな位置から顔部分を切り出し、顔の大きさを正規化し、さらに詳細なグラフを当てはめて、顔の特徴点の位置を詳細に検出することで取得することができる。なお、ガボールウェーブレット変換とは、信号解析や画像圧縮に用いられる手法で、変換対象から、ウェーブレット波形を利用して、その波形が持つ特徴（周波数成分など）のみを取り出すことをいう。
【００４２】
制御部２６は、顔認識部２３から受け取った顔照合の結果が適合であれば（ステップｎ７：Ｙｅｓ）、個人認証結果として適合（認証ＯＫ）の情報を出力し（ステップｎ８）、処理を終了する。
【００４３】
前記ステップｎ５で一定以上の画像変化がなかった場合には偽装されていると判定し（ステップｎ５：Ｎｏ）、制御部２６は、前記ステップｎ６〜ｎ７を実行するのと同程度の待機時間だけ待機する（ステップｎ９）。この待機時間は、写真等による偽装が行われた場合に、偽装が解かっているから不適合なのか、顔照合がうまく行かないから不適合なのか、処理時間によって不正利用者に看破させないようにするためのものである。
【００４４】
制御部２６は、このステップｎ９の後、あるいは前記ステップｎ７で顔照合の結果が不適合であった場合（ステップｎ７：Ｎｏ）に、認証結果として不適合（認証ＮＧ）の情報を出力し（ステップｎ１０）、処理を終了する。  
これら適合／不適合を示す認証結果情報に基づき、制御部２６は、液晶モニタ１４への結果表示や、シャッタボタン１５及び操作ボタン１６での操作可否などの機能制御を行う。
【００４５】
以上の動作により、被写体の目に反映した反映画像６１による被写体の真偽判定を行うことができ、写真等による成りすましを排除することができる。  
特に、複数回の撮影で液晶モニタ１４に表示する画像を変化させるため、写真等による成りすましを確実に排除することができる。すなわち、写真等によって成りすましが図られた場合には、液晶モニタ１４に表示する画像を変化させた複数の撮影画像データを比較しても、瞳部分に画像変化が現れないことから、ステップｎ５の判定で排除することができる。
【００４６】
つまり、瞳部分に映り込む反映画像は、被写体が撮影されたときに見ていた風景を反映しており、液晶モニタ１４に表示する画像を変化させて再度撮影すると、前回の撮影と同じ風景が映り込むことはないため、写真等による偽装を排除することができる。
【００４７】
上述のように、本発明では写真等を用いた擬装を検出できるが、この仕組みを知った者に、予め反映画像、画像変化を考慮した写真を複数枚用意され、撮影の間に写真がすり替えられるという更なる擬装策を講じられることも考えられる。  
しかし、複数回の撮影を短時間で連続して実行するため、撮影毎にカメラ１２の前で写真がすり替えられるといった成りすましを排除することができる。
【００４８】
その上、ステップｎ９で所定時間の待機を行っているため、成りすましを目論む不正利用者が、写真であるから不適合なのか、写真の精度が悪いから不適合なのか、推定できないようにすることができる。
【００４９】
さらに、本実施形態のうち最も処理時間を要し、アルゴリズムが複雑である顔照合は、被写体判定処理で偽装と判定された場合に１回しか行わないため、高速に認証処理を完了することができる。さらにステップｎ５で偽装でない（ステップｎ５：Ｙｅｓ）と判定した場合は顔照合を実行しないことや、偽装と判定した場合でも顔照合は１回のみとすることで、携帯電話機のバッテリ（充電池）の電力消耗を最小限に抑制することができる。
【００５０】
また、撮影画像の背景に関係なく認証を行うため、移動中であっても本人を本人であると正しく認証することができる。
【００５１】
なお、各撮影の際に液晶モニタ１４に表示する画像は、予め設定していてもよいが、認証毎にランダムで変更する構成とすることが望ましい。例えば、上述の実施例では白と青で説明したが、それ以外の色を認証毎にランダムに使用したり、色の順番を入れ替えたりするとよい。これにより、成りすましをより確実に排除することができる。
【００５２】
また、上述の実施例では２回（複数回）の撮影で反映画像の変化に基づき判定したが、以下のようにしてもよい。すなわち、撮影は１回とし、取得した撮影画像のうち、被写体の目に反映画像６１が正しく存在するか否かを判定し、正しく存在すればステップｎ５：Ｙｅｓ以降の処理を実行し、正しく存在しなければステップｎ５：Ｎｏ以降の処理を実行してもよい。
【００５３】
この場合、撮影回数を減少させることができ、より高速に適切な認証を行うことができる。具体的には、擬装用の写真が反映画像６１を考慮していなければ、このように１回の撮影だけでも擬装を判定することができる。また、撮影時に液晶モニタ１４に表示する画像を認証毎にランダムで変更すれば、反映画像６１が考慮された擬装写真に対しても、１回の撮影だけで成りすましを排除できる。
【００５４】
また、撮影は、認証モードとして利用者に認証用の操作がされたタイミングで実行する構成として利用者に意識させてもよく、また、装置（携帯電話機など）側で適当なタイミングで実行する構成として利用者に意識させないようにしてもよい。また、利用者が何らかの機能操作を開始した時点で、利用者に意識させずに撮影する構成にしてもよい。
【００５５】
また、反映画像６１は液晶モニタ１４の表示で行ったが、照明装置１３で構成してもよい。この場合、照明の有無を変化させる、照明色を変化させる、あるいは照明装置１３を複数備えて照明させる位置、色やそれらの組み合わせを変化させることで、反映画像６１を変化させることができ、成りすましを排除することができる。
【００５６】
また、ステップｎ３〜ｎ４では、画像変化として瞳部５３の色変化で偽装判定を行う構成としたが、撮影画像中の一部の画像変化と他の部分の画像変化を対比した上で、偽装判定を行う構成としてもよい。
【００５７】
この場合、例えば瞳部５３のうち反映画像６１が反映している部分を特定し、その反映画像６１が写っている部分の画像変化と、それ以外の部分若しくは瞳部５３全体の画像変化とを比較するとよい。
【００５８】
これにより、反映画像６１が写っている部分の画像変化が、それ以外若しくは瞳部５３全体の画像変化よりも大きくなるため、この画像変化の程度の差が、予め定めた所定の閾値以上であれば、本人による正規の認証であると判定することができる。
【００５９】
他にも、瞳部５３の画像変化と、顔全体の画像変化とを比較してもよい。この場合も、瞳部５３の画像変化の方が、顔全体の画像変化よりも大きくなるため、この画像変化の程度の差が、予め定めた所定の閾値以上であれば、本人による正規の認証であると判定することができる。
【００６０】
このように構成することで、写真による成りすましが偶然成功することを防止できる。詳述すると、写真がたまたま反映画像６１を反射した場合は、各撮影での画像変化が生じる。しかし、反映画像６１は写真全体で反射することとなるため、部分的な画像変化と全体的な画像変化（若しくは他の部分の画像変化）が同一かほぼ同一の変化となる。従って、人間が認証を受ける場合のように部分による変化量の差が現れず、成りすましであると判定することができる。  
また、この場合、変色域の面積の差異あるいは面積比から判定してもよい。
【００６１】
また、被写体認証装置１は、被写体の顔により認証する顔認証装置として構成したが、被写体の虹彩により認証する虹彩認証装置として構成してもよい。この場合でも、写真による成りすましを排除し、精度の良い個人認証を行うことができる。
【実施例２】
【００６２】
次に、第２の実施例の被写体認証装置１について、図５に示すブロック図と共に説明する。  
この被写体認証装置１は、被写体認証ユニット７０が携帯電話機に搭載されて構成されている。
【００６３】
被写体認証装置１は、画像入力部２１、表示部２５、及び制御部２６が設けられている。これらの各要素は、画像入力部２１による撮影画像データの出力先を制御部２６にする以外は、前述した実施例１と同一であるため、その詳細な説明を省略する。なお、画像入力部２１、表示部２５、及び制御部２６により、撮影処理を実行する撮影ユニット５が構成される。
【００６４】
前記被写体認証装置１には、被写体認証ユニット７０が、適宜の入出力部に電気的に接続されて設けられている。この被写体認証ユニット７０は、ＣＰＵ及び記憶部（ＲＯＭやＲＡＭ等）により構成される制御装置（図示省略）が設けられており、この制御装置内に、認証制御部７１、被写体判定部７２、顔認識部７３、及び登録データ７４により構成されている。
【００６５】
前記認証制御部７１は、記憶部に記憶されているデータやプログラムに従って、各種制御動作を実行する。記憶部に記憶されているプログラムには、撮影画像によって被写体を認証する被写体認証プログラムも含まれている。  
また、被写体判定部７２による偽装か否かの判定と顔認識部７３による顔照合の照合結果とに基づいて、個人認証を行い、この個人認証の認証結果を被写体認証装置１の制御部２６に送信する。
【００６６】
前記被写体判定部７２は、認証制御部７１の制御に従って、撮影画像データに映っている被写体が偽装か否かの判定を行い、判定結果を認証制御部７１に送信する。
【００６７】
前記顔認識部７３は、認証制御部７１の制御に従って、認証制御部７１から得た撮影画像データと、記憶部から読み出した登録データ７４とを比較して、生体認証の一種である顔照合を行う。
【００６８】
前記登録データ７４は、記憶部に記憶されているデータであり、予め登録された利用者の撮影画像データである。この撮影画像データは、顔画像、又はアイリス画像等、人物の目を含む画像であって個人認証が可能な画像により構成すると良く、本実施の形態では、利用者に心理的な抵抗のない顔画像を用いる。なお、登録データ７４は画像データに限らず、この画像データから特徴点や特徴量を抽出した特徴データにより構成してもよい。
【００６９】
以上の構成により、被写体認証ユニット７０を携帯電話機等の機器に搭載して、被写体認証を実行することが可能となり、実施例１と同一の作用効果が得られる。  
このように構成された実施例２の被写体認証装置１は、実施例１とほぼ同一の動作を行う。すなわち、図３に示したステップｎ１〜ｎ２の動作は制御部２６が実行し、ステップｎ２からステップｎ３の間では、制御部２６が認証制御部７１に撮影画像データを送信する。そして、ステップｎ３〜ｎ１０で制御部２６が実行する動作は、認証制御部７１が実行する。このとき、被写体判定部７２は、実施例１の被写体判定部２２の動作を実行し、顔認識部７３は、実施例１の顔認識部２３の動作を実行する。そして、登録データ７４には、登録データ２４と同一のデータが記憶されている。
【００７０】
以上の動作により、実施例１と同一の作用効果を奏することができる。被写体認証ユニット７０は、入出力部を有する部品であるため、種々の機器に搭載することができ、様々な機器で成りすまし困難な被写体認証を実装することができる。
【００７１】
なお、第２実施例において、登録データは被写体認証ユニット７０の中に記憶したが、撮影ユニット５側の記憶部内に記憶させてもよい。
【００７２】
この発明の構成と、上述の実施形態との対応において、
この発明の携帯電話機は、実施形態の被写体認証装置１に対応し、
以下同様に、
撮影手段は、カメラ１２及び画像入力部２１に対応し、
照明手段は、照明装置１３に対応し、
反映画像変更手段及び表示手段は、液晶モニタ１４及び表示部２５に対応し、
偽装判定手段は、ステップｎ３〜ｎ５を実行する被写体判定部２２または被写体判定部７２に対応し、
目は、瞳部５３に対応するも、
この発明は、上述の実施形態の構成のみに限定されるものではなく、多くの実施の形態を得ることができる。
【図面の簡単な説明】
【００７３】
【図１】被写体認証装置の斜視図。
【図２】被写体認証装置のブロック図。
【図３】被写体認証装置の制御部が実行する動作を示すフローチャート。
【図４】撮影画像説明図。
【図５】第２実施例の被写体認証装置の構成を示すブロック図。
【符号の説明】
【００７４】
１…被写体認証装置
１２…カメラ
１３…照明装置
１４…液晶モニタ
２１…画像入力部
２５…表示部
２６…制御部
４１…撮影画像
５３…瞳部
６１…反映画像
【図１】
2006259924.tif 000003
【図２】
2006259924.tif 000004
【図３】
2006259924.tif 000005
【図４】
2006259924.tif 000006
【図５】
2006259924.tif 000007